(57)【要約】【課題】調理器具を縦置きにすることで、引出しの空間を有効活用することを目的とする。【解決手段】キッチン用フロアキャビネットの開口部において前後方向に出し入れされ、底板１１１と前面板１１２と背面板１１３と左右一対の側面板１１４（１１４ａ、１１４ｂ）とを有し、上面が開口した引出し１１０であって、背面板１１３に一辺１２１が連結され、他辺１２２が前面板１１２側に延出して一対の側面板１１４間を複数の調理器具収納空間１２７１に仕切る仕切り部１２０と、前面板１１２と仕切り部１２０の他辺１２２との間の手前収納空間１２７２にある支持部１４０と、を備える。支持部１４０は、調理器具収納空間１２７１に収納される調理器具の取っ手を支持する。【選択図】図３
2020103690.tif 000002
【特許請求の範囲】
【請求項１】
キッチン用フロアキャビネットの開口部において前後方向に出し入れされ、底板と前面板と背面板と左右一対の側面板とを有し、上面が開口した引出しであって、
前記背面板に一辺が連結され、他辺が前記前面板側に延出して前記一対の側面板間を複数の調理器具収納空間に仕切る仕切り部と、
前記前面板と前記仕切り部の他辺との間に手前収納空間があって、隣接する前記調理器具収納空間が前記手前収納空間に連通して小物収納空間を形成し、該小物収納空間に介在し、前記調理器具収納空間に収納される調理器具の取っ手を支持する支持部と、
を備えることを特徴とする引出し。
【請求項２】
前記小物収納空間内に前後を仕切る板状の壁材を有し、該壁材の上端部分が前記支持部となることを特徴とする請求項１記載の引出し。
【請求項３】
前記小物収納空間内に前後を仕切る板状の壁材を有し、該壁材と前記仕切り部の他辺との間に前記調理器具付帯の蓋を納める上面開口の筐体が収納配置され、該筐体の前記仕切り部側の上端部分が前記支持部となることを特徴とする請求項１記載の引出し。
【請求項４】
前記仕切り部は、前記背面板に着脱自在に取り付けられることを特徴とする請求項１〜３のいずれか一項記載の引出し。
【請求項５】
前記仕切り部は、前記背面板にスライド自在に取り付けられることを特徴とする請求項１〜３のいずれか一項記載の引出し。
【請求項６】
前記仕切り部は、少なくとも一方の側方より延出した前記調理器具を載置する載置片と、
を有することを特徴とする請求項１〜５のいずれか一項記載の引出し。
【請求項７】
前記仕切り部は、前記一対の側面板間方向で離間して前記調理器具付帯の蓋を縦置きにする一対の仕切り片を有して構成されていることを特徴とする請求項１〜６のいずれか一項記載の引出し。
【請求項８】
前記一対の仕切り片の少なくとも一方には、前記延出する方向の中央部を底とした側面視略凹状の蓋の持ち手係止部を設けたことを特徴とする請求項７記載の引出し。
【請求項９】
前記底板と前記仕切り部との間に、摩擦シートが敷かれることを特徴する請求項１〜８のいずれか一項記載の引出し。
【請求項１０】
請求項１〜９のいずれか一項記載の引出しをコンロ下又はシンク下に設けたことを特徴とするキッチン用フロアキャビネット。
【発明の詳細な説明】
【技術分野】
【０００１】
本開示は、調理器具を縦置きできる仕切り部を有する引出し及びこれを備えたキッチン用フロアキャビネットに関する。
【背景技術】
【０００２】
従来から、キッチン用フロアキャビネットにおけるコンロ下やシンク下等の引出しは、フライパンや鍋などの調理器具を収納する空間として利用されている。このような引出しに沢山の調理器具を収納する場合、調理器具を積み重ねて収納している。そのため、下側に配置される調理器具を取り出す場合、一旦上側の調理器具を取り出す必要があり、非常に煩雑であった。なお、調理器具を取り出し易くするために、各調理器具を平置きすることも考えられるが、この場合、沢山の調理器具を収納したり調理器具以外のものを収納したりすることが困難であり、空間を有効活用できなかった。
【０００３】
そこで、下記特許文献においては、調理器具を縦置きに保持・収納するための載置部としてのラックが引出しに設けられている。ラックによって縦置きされた調理器具の取っ手は、使用者側となる引出しの前面板に当接している。
【先行技術文献】
【特許文献】
【０００４】
【特許文献１】特開２０１６−２１４３２６号公報
【発明の概要】
【発明が解決しようとする課題】
【０００５】
ところで、特許文献１の構造では、引出しの奥側に収納空間があり、引出しの手前に調理器具が縦置きで収納されている。そのため、沢山の調理器具や調理器具以外のものを収納したりすることが容易となる。
【０００６】
しかしながら、特許文献１では、調理器具の取っ手が引出しの上面方向を向いて配置されているので、引出しの高さを取っ手の長さだけ長く設計する必要があり、引出し上部の収納空間が無駄になる問題がある。
【０００７】
本開示は、上記の課題に鑑み、空間を有効に活用できる引出しを提供することを目的とする。
【課題を解決するための手段】
【０００８】
本開示の一態様に係る引出しは、キッチン用フロアキャビネットの開口部において前後方向に出し入れされ、底板と前面板と背面板と左右一対の側面板とを有し、上面が開口した引出しであって、前記背面板に一辺が連結され、他辺が前記前面板側に延出して前記一対の側面板間を複数の調理器具収納空間に仕切る仕切り部と、前記前面板と前記仕切り部の他辺との間に手前収納空間があって、隣接する前記調理器具収納空間が前記間隔に連通して小物収納空間を形成し、該小物収納空間に介在し、前記調理器具の取っ手を支持する支持部と、を備えることを特徴としている。
【０００９】
また、上記目的を達成するために、本開示の一態様に係るキッチン用フロアキャビネットは、本開示に係る引出しをコンロ下又はシンク下に設けたことを特徴としている。
【発明の効果】
【００１０】
本開示に係る引出し及びこれを備えたキッチンフロア用キャビネットは、上述のような構成としたことで、空間を有効活用できる。
【図面の簡単な説明】
【００１１】
【図１】第一の実施の形態に係るキッチン用フロアキャビネットを示す斜視図である。
【図２】第一の実施の形態に係る引出しを上方から見た説明図である。
【図３】図２のものの引出しに調理器具とキッチン用収納物を収納した説明図である。
【図４】第一の実施の形態に係る仕切り部を示す斜視図である。
【図５】図４のものの仕切り部に調理器具付帯の蓋を納めた斜視図である。
【図６】第一の実施の形態に係る別の仕切り部を示す斜視図である。
【図７】第一の実施の形態に係る引出しに調理器具を収納した側面図である。
【図８】第一の実施の形態に係るトレイを示す斜視図である。
【図９】第二の実施の形態に係る引出しを上方から見た説明図である。
【図１０】第二の実施の形態に係る仕切り部を示す斜視図である。
【図１１】第二の実施の形態に係る別の仕切り部を示す斜視図である。
【図１２】第二の実施の形態に係るさらに別の仕切り部を示す斜視図である。
【図１３】第三の実施の形態に係る引出しを示す側面図である。
【図１４】第四の実施の形態に係る引出しを示す側断面図である。
【図１５】第五の実施の形態に係るキッチン用フロアキャビネットを示す斜視図である。
【図１６】第六の実施の形態に係る引出しを上方から見た説明図である。
【図１７】第七の実施の形態に係る載置片が延出する仕切り部を示す斜視図である。
【図１８】第八の実施の形態に係る載置片が延出する別の仕切り部を示す斜視図である。
【発明を実施するための形態】
【００１２】
以下、本開示に係る引出しの実施の形態を、図面に基づき説明する。なお、下記に開示される実施の形態はすべて例示であって、本開示に係る引出しに制限を加える意図はない。
【００１３】
また、下記に開示される実施の形態では、必要以上の詳細な説明を省略する場合がある。例えば、既によく知られた事項についての詳細な説明や、実質的に同一の構成についての重複する説明を、省略する場合がある。これは、説明が不必要に冗長になるのを避けることで、当業者の理解を容易にするためである。
（第一の実施の形態）
（キッチン用フロアキャビネット）
図１は、第一の実施の形態に係るキッチン用フロアキャビネットを示す斜視図である。このキッチン用フロアキャビネット１００は、左右方向を長さ方向とし、前後方向を幅方向とすることで平面視略矩形状となっている。キッチン用フロアキャビネット１００は、台所に設置される左右方向に長いキャビネット部１０１と、キャビネット部１０１の上端部に設けられた天板１０２とを有している。天板１０２には、加熱調理器であるコンロ１０３と、シンク１０４と、調理部１０５と、を備えることを特徴としている。
【００１４】
キャビネット部１０１は、略矩形状の開口部１０６を有している。開口部１０６において、前後方向に出し入れされ、仕切り部１２０が連結される側面視略矩形の引出し１１０を有している。さらに、引出し１１０の上に同様の引出し９０を有している。
【００１５】
天板１０２は、平面視略矩形状となっている。材質は、人造大理石であってもよいが、特に限定されるものではない。
【００１６】
コンロ１０３は、電磁調理器であって、天板１０２の上面と略面一であり、上方が露出している。コンロ１０３は、複数の加熱部１０７を有している。加熱部１０７は、いくつあってもよいが、３つあるのが好ましい。コンロ１０３は、電磁調理器であっても、ガスコンロであってもよい。この場合、コンロ１０３は、加熱部１０７としてコンロバーナーを有する。
【００１７】
シンク１０４は、平面視凹部状であって、水を出す水栓１０８が備えられている。水栓１０８は、水栓１０８から出る水がシンク１０４に流れる位置に設置されてあればよい。
【００１８】
調理部１０５の形状は、特に限定されない。
【００１９】
使用者側（図１のA側）から引出しを見た時に、左からシンク１０４、調理部１０５、コンロ１０３の順番になっている。しかし、シンク１０４、調理部１０５、コンロ１０３の順番は、例えば、左からコンロ１０３、調理部１０５、シンク１０４であってもよく、特に限定されるものではない。
（引出し）
図２は、第一の実施の形態に係る引出しを上方から見た説明図である。図２に示すように、引出し１１０は、図１のキッチン用フロアキャビネットの開口部において前後方向に出し入れされ、底板１１１と前面板１１２と背面板１１３と左右一対の側面板１１４（右側面板１１４ａ、左側面板１１４ｂ）とを有し、上面が開口したものである。なお、引出し１１０は、前面板１１２に把手が付いるものであってもプッシュオープン式のものであってもよく、特に限定されることはない。
【００２０】
この引出し１１０は、背面板１１３に一辺（連結片）１２１が連結され、他辺１２２（図４に示す）が前面板１１２側に延出して一対の側面板（右側面板１１４ａ、左側面板１１４ｂ）間を複数の調理器具収納空間１２７ａに仕切る仕切り部１２０と、前面板１１２と仕切り部１２０の他辺１２２との間に手前収納空間１２７ｂがあって、隣接する調理器具収納空間１２７ａと手前収納空間１２７ｂが連通して小物収納空間１２７ｃを形成し、小物収納空間１２７ｃに介在し、調理器具（Ｎ１、Ｍ１）の取っ手（Ｎ１ａ、Ｍ１ａ）を支持する支持部１４０と、を備えている。
【００２１】
左右一対の側面板１１４（１１４ａ、１１４ｂ）間には区切り板１１５を、前面板１１２と背面板１１３との間の小物収納空間１２７ｃ内には前後を仕切る板状の壁材１４１をそれぞれ有している。なお、壁材１４１の上端部分が支持部１４０となる。従って、調理器具（Ｎ１、Ｍ１）を安定して縦置きでき、壁材１４１によって後述する前方収納空間１４２を形成することで、空間を有効活用することができる。
【００２２】
底板１１１と、前面板１１２と、背面板１１３と、左右一対の側面板１１４（１１４ａ、１１４ｂ）と、区切り板１１５は、側面視略矩形状で、材質は木材で構成されているが、金属や樹脂で構成されていてもよく、特に限定されることはない。図１に示すように、引出し１１０は、コンロ１０３側の最下段開口部１０６に設けられることが望ましい。
【００２３】
仕切り部１２０は、背面板１１３の上端部である背面板上端部１１３aに差し込まれて連結されている。連結される仕切り部１２０の数は、３つが望ましいが、１つでも２つでも良く、特に限定されることはない。仕切り部１２０については後述する。
【００２４】
区切り板１１５の長手方向は、一対の側面板１１４（１１４ａ、１１４ｂ）の長手方向と平行に設置され、略同じ高さである。なお、区切り板１１５の高さは、収納物が倒れない程度であれば、一対の側面板１１４（１１４ａ、１１４ｂ）より高くても低くてもよく、特に限定されることはないが、同じ高さであった方が好ましい。区切り板１１５の一端
１１５ａは、背面板１１３に当接し、区切り板１１５の他端１１５ｂは、前面板１１２に当接して設置されている。このように区切り板１１５を設置することによって、区切り板１１５と右側面板１１４ａとの間に、収納空間である略矩形状の右収納空間１１７が形成される。右収納空間１１７には、使用頻度の少ない調味料類や、液体調味料、レトルト製品などのストック類を収納することができるが、特に限定されることはない。
【００２５】
なお、底板１１１が汚れることを防ぐために、右収納空間１１７部分の底板１１１には、取り外し可能なトレイ（図不示）が敷かれてあってもよい。
【００２６】
図２において１１６はスライド板であり、スライド板１１６は、右収納空間１１７の上部に設けられ、奥行き方向にスライド可能である。スライド板１１６の材質は、木材で形成されているが、金属や樹脂であってもよく、特に限定されることはない。スライド板１１６の短手の各縁部１１６ａ、１１６ｂは、右側面板１１４ａと区切り板１１５の上端部にそれぞれ連結されている。スライド板１１６の端部は、上方向に折れ曲がってあって、壁板１１６ｃを形成している。
【００２７】
図３は、図２のものの引出しに調理器具とキッチン用収納物を収納した説明図である。図３に示すように、スライド板１１６には、塩、コショウ、カレーパウダー、七味などのスパイス調味料（図３のＬ）を収納することができる。壁板１１６ｃの高さは、特に限定されることはないが、スライド板１１６をスライドしたときに、スライド板１１６に収納されるスパイス調味料などがずれ落ちるのを抑制することができる程度の高さであればよい。また、スライド板１１６は、取り外し可能な構造となっているため、右側面板１１４ａの高さより大きい収納物を収納することができる。
【００２８】
図４は、第一の実施の形態に係る仕切り部を示す斜視図である。図４に示すように、仕切り部１２０は、背面板側に一辺１２１（連結片）が連結されてあって、他辺１２２が前面板１１２側に延出しており、一辺１２１（連結片）と他辺１２２の間には、持ち手係止部１２３が形成されている。仕切り部１２０は、一対の仕切り片１２４（１２４ａ、１２４ｂ）と、連結片１２１とで構成されている。ここで、一辺１２１は、連結片１２１のことであり、他辺１２２は、一辺の仕切り片１２４（１２４ａ、１２４ｂ）の前面板１１２側に延出する方向の先端側のことを指している。
【００２９】
仕切り部１２０は、線状のステンレスで構成されており、径は４ｍｍ以上である。そのため、仕切り部１２０は洗いやすくなっている。なお、仕切り部１２０は、ステンレス以外の金属で構成されてもよく、特に限定されることはない。図３に示すように、仕切り部１２０は、フライパンＮ１や片手鍋Ｍ１などの調理器具（Ｎ１、Ｍ１）を縦置きするために、必要に応じて引出し１１０に設置される。
【００３０】
一対の仕切り片１２４（１２４ａ、１２４ｂ）は、係止片部１２５（１２５ａ、１２５ｂ）と、他辺側上方傾斜片部１２６（１２６ａ、１２６ｂ）と、一辺側上方垂直片部１２７（１２７ａ、１２７ｂ）と、他辺側曲線片部１２８（１２８ａ、１２８ｂ）と、他辺垂直片部１２９（１２９ａ、１２９ｂ）と、設置片部１３０（１３０ａ、１３０ｂ）と、一辺垂直片部１３１（１３１ａ、１３１ｂ）とを有し、連結片１２１は、連結片部１３２と、抱持片部１３３とを有している。なお、連結片部１３２は、横連結片部１３４と縦連結片部１３５で構成されている。
【００３１】
一対の仕切り片１２４（１２４ａ、１２４ｂ）は、延出する方向の略中央部を底とした側面視略凹状に形成されてあって、一対の側面板１１４（１１４ａ、１１４ｂ）間方向で離間して調理器具（Ｎ１、Ｍ１）付帯の蓋（Ｎ１ｂ、Ｍ１ｂ）を縦置きにする。なお、一対の仕切り片１２４（１２４ａ、１２４ｂ）間の距離は、蓋（Ｎ１ｂ、Ｍ１ｂ）を縦置き
できる程度であればよい。一対の仕切り片１２４（１２４ａ、１２４ｂ）の凹み部は係止片部１２５（１２５ａ、１２５ｂ）である。係止片部１２５（１２５ａ、１２５ｂ）から他辺１２２側の他辺側上方傾斜片部１２６（１２６ａ、１２６ｂ）の上端の高さは、係止片部１２５（１２５ａ、１２５ｂ）から一辺１２１側の一辺側上方垂直片部１２７（１２７ａ、１２７ｂ）の上端の高さよりも低くなるように形成されている。これら係止片部１２５（１２５ａ、１２５ｂ）及び他辺側上方傾斜片部１２６（１２６ａ、１２６ｂ）が調理器具（Ｎ１、Ｍ１）に付帯する蓋（Ｎ１ｂ、Ｍ１ｂ）の持ち手係止部１２３となる。
【００３２】
なお、係止片部１２５（１２５ａ、１２５ｂ）の位置は、一対の仕切り片１２４（１２４ａ、１２４ｂ）の中央部にあってもよい。また、他辺側上方傾斜片部１２６（１２６ａ、１２６ｂ）の上端と一辺側上方垂直片部１２７（１２７ａ、１２７ｂ）の上端が同じ高さであってもよい。
【００３３】
図５は、図４のものの仕切り部に調理器具付帯の蓋を納めた斜視図である。図５に示すように、他辺側上方傾斜片部１２６（１２６ａ、１２６ｂ）は、他辺１２２方向に向かって上方向に急傾斜するように形成されている。そのため、蓋Ｎ１ｂは、サイズに関わらず必ず横連結片部１３４に当接する。また、蓋Ｎ１ｂの持ち手N１ｃは、他辺側上方傾斜片部１２６（１２６ａ、１２６ｂ）上であればどこにでも引っかけることができるので、一つの仕切り部１２０で様々なサイズの蓋を収納することができる。さらに、蓋Ｎ１ｂの持ち手Ｎ１ｃを、他辺側上方傾斜片部１２６（１２６ａ、１２６ｂ）に沿って取り出すことができるので蓋Ｎ１ｂを落としにくい。なお、一対の仕切り片１２４（１２４ａ、１２４ｂ）の少なくとも一方に蓋の持ち手係止部１２３が設けられていてもよく、他方は、側面視略矩形状であってもよい。
【００３４】
図４に戻って、各仕切り部１２０の他辺側上方傾斜片部１２６（１２６ａ、１２６ｂ）における最も位置が高い他辺側曲線片部１２８（１２８ａ、１２８ｂ）は、緩やかな曲線を描いて下方に折れ曲がっている。
【００３５】
他辺垂直片部１２９（１２９ａ、１２９ｂ）は床面から上方に垂直に延びてあって、他辺側曲線片部１２８（１２８ａ、１２８ｂ）と連結している。
【００３６】
設置片部１３０（１３０ａ、１３０ｂ）は、係止片部１２５（１２５ａ、１２５ｂ）と、他辺側上方傾斜片部１２６（１２６ａ、１２６ｂ）と、一辺側上方垂直片部１２７（１２７ａ、１２７ｂ）と、他辺側曲線片部１２８（１２８ａ、１２８ｂ）との略下部にあって、略直線棒状である。また、設置片部１３０（１３０ａ、１３０ｂ）の一端は、他辺垂直片部１２９（１２９ａ、１２９ｂ）に連結してあって、他端は上方に略垂直に延びている一辺垂直辺部１３１（１３１ａ、１３１ｂ）に連結している。一辺垂直辺部１３１（１３１ａ、１３１ｂ）は、一辺側上方垂直片部１２７（１２７ａ、１２７ｂ）と連結している。なお、設置片部１３０（１３０ａ、１３０ｂ）の上部に、仕切り片連結片部１３６の両端が連結されていることによって、一対の仕切り片１２４（１２４ａ、１２４ｂ）は他辺１２２側でも連結されている。
【００３７】
仕切り片連結部１３６は、略直線棒状であって、その両端が各設置片部１３０（１３０ａ、１３０ｂ）の上部にあって、一対の仕切り片１２４（１２４ａ、１２４ｂ）を連結している。
【００３８】
連結片部１３２は、一辺垂直片部１３１（１３１ａ、１３１ｂ）と少なくとも２か所で連結され、背面板１１３と当接する。なお、一辺垂直片部１３１（１３１ａ、１３１ｂ）は、連結片部１３２に対してスライドもしくは取り外し可能であってもよく、一対の仕切り片１２４（１２４ａ、１２４ｂ）間の手前収納空間を自由に変更することができてもよ
い。
【００３９】
抱持片部１３３は、連結片部１３２の上端から連続して構成されている。
【００４０】
抱持片部１３３は、下向き略コ字状であって、背面板上端部１１３aに嵌合することによって、仕切り部１２０は、背面板１１３に着脱自在に取り付けることができ、背面板１１３に沿って、スライド自在に動かすこともできる。そのため、調理器具の数量や大きさによって、仕切り部１２０を取り外したり、移動させたりすることができるので、収納空間を有効活用することができる。
【００４１】
こうした構造をとることによって、仕切り部１２０は、背面板１１３に連結され、一対の側面板１１４（１１４ａ、１１４ｂ）間を調理器具（Ｎ１、Ｍ１）が縦置き収納される少なくとも２つの調理器具収納空間１２７ａに仕切る。例えば、図３のように、仕切り部１２０を４つ設置した場合、少なくとも４つの調理器具（Ｎ１、Ｍ１）を縦置き収納することができる。また、他辺１２２は、一対の側面板１１４（１１４ａ、１１４ｂ）の長手よりも短いので、前面板１１２と他辺１２２との間に手前収納空間１２７ｂが形成される。さらに、調理器具収納空間１２７ａが手前収納空間１２７ｂと連通して、調理器具を含む小物が収納可能な小物収納空間１２７ｃが形成される。こうした構造を取ることによって、引出し１１０を複数の空間に仕切ることができ、空間を有効活用して収納できる。また、小物収納空間１２７ｃは、調理器具収納空間１２７ａに収納される調理器具（Ｎ１、Ｍ１）の取っ手（Ｎ１ａ、M１ａ）を収納する。また、引出し１１０が前後に出し入れされても、仕切り部１２０は前後にずれることなく、仕切り部１２０に保持され、小物収納空間１２７ｃを狭めることはない。なお、仕切り部１２０は、左側面板１１４ｂや支持部１４０、区切り板１１５に連結されてあってもよく、特に限定されることはない。
【００４２】
図６は、第一の実施の形態に係る別の仕切り部を示す斜視図である。この仕切り部の基本的な構成は仕切り部１２０とほぼ同じである。よって、同一箇所には同一符号を付して説明を省略し、異なる箇所のみ説明を行う。
【００４３】
この仕切り部１２０は、１つの仕切り片１２４を有している。１つの仕切り片１２４は、側面視略四角枠状であって、一辺垂直片部１３１から、他辺垂直片部１２９まで直交する略直線状に連結されている。そのため、この仕切り部１２０では、仕切り片連結片部１３６が形成されていない。また、設置片部１３０の他辺１２２側の下部には、略直線棒状の仕切り片支持片部１３７が直交するように連結されているので、この仕切り片支持片部１３７が引出し１１０の底板１１１に当接することで仕切り部１２０が転倒しにくくなっている。なお、仕切り片支持片部１３７は、あってもなくてもよい。図６に示すように、１つの仕切り片１２４で構成されていることによって、空間を有効活用しながら調理器具を縦置き収納できる。
【００４４】
図７は、第一の実施の形態に係る引出しに調理器具を収納した側面図である。図７では、分かりやすくするために、フライパンＮ１だけを示してある。図７で示すように、フライパンＮ１の取っ手Ｎ１ａは、支持部１４０に支持されている。よって、取っ手Ｎ１ａが前面板１１２に立てかけられることなく支持部１４０に支持されるので、引出し１１０の高さは低くなる。また、取っ手Ｎ１ａは、前面板１１２方向に向かって上方向に傾斜しているため、フライパンＮ１を取り出しやすくなっている。そのため、引出し１１０がキッチン用フロアキャビネット１００の最下段開口部１０６に設置されてあっても、フライパンＮ１をスムーズに取り出すことができる。このように、取っ手Ｎ１ａを、前面板１１２方向に向かって上方向に傾斜した状態でフライパンＮ１を引出し１１０に収納しても、引出し１１０の高さは低いので、引出し１１０の上に、もうひとつの引出し９０を設けることができ、キャビネット部１０１の収納空間を有効に活用することができる。なお、ここ
では、フライパンを例に挙げたが、取っ手を有する調理器具であればよく、特に限定されることはない。つまり、料理器具を縦置き収納することで収納空間を有効活用しながら、支持部１４０によって調理器具（Ｎ１、Ｍ１）の取っ手を支持することで、調理器具（Ｎ１、Ｍ１）を取り出しやすくなる。
【００４５】
また、取っ手下の小物収納空間１２７ｃに小物を収納することができる。つまり、調理器具（Ｎ１、Ｍ１）の取っ手を寝かせて収納することで、引出し１１０の上部空間を有効活用できるとともに、取っ手が支持部１４０に支持されることで、引出し１１０の下部空間も有効活用できる。なお、一対の側面板１１４（１１４ａ、１１４ｂ）の長手は５００ｍｍの長さで、背面板１１３から支持部１４０までの距離は３４５ｍｍであるが、必ずしもこれに限らない。
【００４６】
また、前面板１１２が背面板１１３および一対の側面板１１４（１１４ａ、１１４ｂ）よりも高く設置されているので、キッチン用フロアキャビネット１００の開口部１０６の大きさが大きくなり、サイズが大きいフライパンも縦置き収納できる。なお、前面板１１２の短手の長さは３６６ｍｍ、背面板１１３と一対の側面板１１４（１１４ａ、１１４ｂ）の短手の長さは１９５ｍｍであるが、必ずしもこれに限らない。また、Φ３６０のフライパンを収納しても、取っ手が前面板１１２方向に向かって上方向に傾斜するように、底板１１１と支持部１４０の上端の長さは１８０ｍｍ以上あることが好ましい。
【００４７】
図３に戻って、前方収納空間１４２は、使用者側（図２のＡ側）に形成されるので、引出し１１０をすべて引き出すことなく、前方収納空間１４２に収納された使用頻度が高いオイル類や液体調味料をすぐに取り出すことができる。また、前方収納空間１４２が壁材１４１に仕切られていることによって、引出しを引出したときに、引出しの手前に収納される調味料類が引出しの中央や奥など、引出しの手前以外の場所に点在することを防ぐことができる。そのため、引出しを引出す度に動く収納物を元の位置に戻す煩雑な作業が減る。また、空間を有効活用できるとともに、引出しの景観を損ねることを防ぐことができる。
【００４８】
オイル類や液体調味料には、醤油、サラダ油、オリーブオイル、料理酒、みりん、ごま油などが該当する。前方収納空間１４２には、オイル類や液体調味料が最大６本収納できるように形成されている。小物収納空間１２７ｃの支持部１４０と仕切り部１２０の間には、フライパンと同時に利用される鍋敷き９１等が収容される。
【００４９】
図８は、前方収納空間に設置されるトレイの斜視図である。前方収納空間１４２の底板１１１には、前方収納空間１４２と略同じ矩形状の前方収納空間トレイ１４３が設置されている。図８に示すように、前方収納空間トレイ１４３の材質は、木材で形成されているが、金属や樹脂であってもよく、特に限定されることはない。
【００５０】
前方収納空間トレイ１４３の端部は、上方向に折り曲げられた前方収納空間トレイ引っかけ部１４４が形成されているので、調味料がこぼれても底板１１１が汚れるのを防ぐことができる。また、前方収納空間トレイ１４３は、取り外し可能で、汚れても水洗いできるので、引出し１１０を清潔に保つことができる。
【００５１】
なお、前方収納空間１４２には、十字に仕切られた多目的ボックス１４５（図３参照）が設置されてもよい。十字型収納部１４５によって、杓文字や箸など縦長の収納物を効率よく収納することができる。
【００５２】
また、前方収納空間１４２には、まな板を立てて収納できるまな板スタンドや、包丁を収納する包丁差しが取り付けられてあってもよい。
【００５３】
なお、上述した説明では、調理器具収納部１２７ａには調理器具が縦置きで収納されているが、サイズの小さい調理器具であれば調理器具の底面を下方にして収納させてもよい。
(第二の実施の形態)
第二の実施形態の基本的な構成は第一の実施形態とほぼ同じである。よって、同一箇所には同一符号を付して説明を省略し、異なる箇所のみ説明を行う。これ以降の実施形態も同様とする。
【００５４】
図９は、第二の実施の形態に係る引出しを上方から見た説明図である。図９に示すように、筐体１５０は、上面が開口した略矩形状の箱型であって、樹脂で構成されているが、金属や木材であってもよく、特に限定されることはない。筐体１５０は、他辺１２２と壁材１４１との間の間隔に丁度収まる大きさで収納配置されるので、仕切り部１２０側にある筐体１５０の上端部分１５１が調理器具Ｍ１の取っ手Ｍ１ａを支持することができる。なお、筐体１５０は上面を閉じることができる蓋が設けられてあってもよい。
【００５５】
サイズが小さくて、支持部１４０に取っ手が支持されないような調理器具であっても、筐体１５０の上端部分１５１によって安定して縦置き収納することができる。また、筐体１５０は、調理器具（Ｎ１、Ｍ１）付帯の蓋（Ｎ１ｂ、Ｍ１ｂ）を縦置き収納できるので、引出し１１０の空間を有効活用することができる。
【００５６】
筐体１５０は、壁材１４１側の上端部分が側面視略コ字状に形成されていることによって、壁材１４１に連結される（図不示）。筐体１５０は、壁材１４１から取り外し可能である。
【００５７】
図１０は、第二の実施の形態に係る仕切り部を示す斜視図である。図１０に示すように、仕切り部１２０は、仕切り片１２４と、連結片１３８とを有し、連結片１３８の下部は、仕切り片１２４の上部と連結している。仕切り部１２０の材質は、木材で構成されているが、金属や樹脂であってもよく、特に限定されることはない。
【００５８】
仕切り片１２４は、板状であって、略矩形状であって、連結片１３８は、連結片部１３２と、抱持片部１３３で構成されている。
【００５９】
連結片部１３２は、略矩形状で形成されてあって、連結片部１３２の下部は、仕切り片１２４の上部に連結されている。
【００６０】
抱持片部１３３は、下向き略コ字状であって、背面板上端部１１３ａに隙間なく嵌合される。こうした構造をとることによって、仕切り部１２０は、背面板１１３に着脱自在に取り付けることができ、背面板１１３に沿って、スライド自在に移動することができる。
【００６１】
図１１は、第二の実施の形態に係る別の仕切り部を示す斜視図である。仕切り部１２０の材質は、樹脂で構成されているが、木材や金属であってもよく、特に限定されることはない。
【００６２】
仕切り部１２０は、一対の仕切り片１２４（１２４ａ、１２４ｂ）と、連結片１２１で構成されている。一対の仕切り片１２４（１２４ａ、１２４ｂ）は、係止片部１２５（１２５ａ、１２５ｂ）と、他辺側上方傾斜片部１２６（１２６ａ、１２６ｂ）と、他辺側曲線片部１２８（１２８ａ、１２８ｂ）と、他辺垂直片部１２９（１２９ａ、１２９ｂ）と、一辺垂直片部１２７（１２７ａ、１２７ｂ）と、仕切り片連結部１３６とを有し、連結片１２１は、連結片部１３２と、抱持片部１３３とを有している。
【００６３】
仕切り片連結片部１３６は、側面視略矩形状であって、その両端がそれぞれ他辺垂直片部１２９（１２９ａ、１２９ｂ）に連結されることで、一辺の仕切り片１２４（１２４ａ、１２４ｂ）を連結している。仕切り片連結部１３６の形状は、限定されることはない。連結片部１３２は、一辺垂直片部１２７（１２７ａ、１２７ｂ）と連結され、背面板１１３と当接する。
【００６４】
図１２は、第二の実施の形態に係る別の仕切り部を示す斜視図である。図１２に示すように、仕切り部１２０は、１つの仕切り片１２４を有している。１つの仕切り片１２４は、側面視略矩形状であって、その一方側１３１から、他辺垂直片部１２９まで延出しているので、この仕切り部１２０では、仕切り片連結片部１３６が形成されていない。その代わりに、仕切り片１２４の下部には、平面視略矩形状の仕切り片係止片部１３７が直交するように連結されているので、この仕切り片支持片部１３７が引出し１１０の底板１１１に当接することで仕切り部１２０が転倒しにくくなっている。
（第三の実施の形態）
図１３は、第三の実施の形態に係る引出しを示す側面図である。図１３に示すように、支持部４０は、直線状または緩やかな細い棒状で、木材で形成されているが、樹脂や金属であってもよく、特に限定されることはない。支持部１４０の一部は、直線状の細い棒状で、前面板１１２に連結している少なくとも２つの補助棒部１４６によって支持されている。
（第四の実施の形態）
図１４は、第四の実施の形態に係る引出しを示す側断面図である。この実施の形態は、図１４に示すように、底板１１１上に敷かれることで底板１１１と仕切り部（図示せず）との間に敷かれる摩擦シート１６０を設けたものである。この摩擦シート１６０によって、縦置きした調理器具が滑らないように固定することができる。そのため、片手鍋Ｍ１などの取っ手が短い調理器具Ｍ１を縦置き収納したときに、摩擦シート１６０が調理器具Ｎ１の一部（図１４のＥ点）を固定するため、取っ手が支持部１４０で固定できない調理器具であっても、安定して縦置きすることができる。摩擦シートの材質は、ポリテトラフルオロエチレン（ＰＴＥＦ）やポチエチレンなどの樹脂が好ましいが、特に材料は樹脂に限定されない。また、摩擦シート１６０は、取り外し可能である。
（第五の実施の形態）
図１５は、第五の実施の形態に係るキッチン用フロアキャビネットを示す斜視図である。図１５に示すように、引出し１１０は、コンロ下の最上段開口部２００であってもよい。また、シンク下の開口部に設置されてもよく、特に限定されることはない。
（第六の実施の形態）
図１６は、第六の実施の形態に係る引出しを上方から見た説明図である。左右一対の側面板２１０（２１０ａ、２１０ｂ）は、それぞれ上壁材２１１（２１１ａ、２１１ｂ）と、下壁材２１２（２１２ａ、２１２ｂ）で構成されている。上壁材２１１（２１１ａ、２１１ｂ）と下壁材２１２（２１２ａ、２１２ｂ）は、略矩形の板状で形成されている。下壁材２１２（２１２ａ、２１２ｂ）の高さは特に限定されることはなく、引出しを引出したときに、収納物が下壁材２１２（２１２ａ、２１２ｂ）及び上壁材２１１（２１１ａ、２１１ｂ）の隙間から落下しない程度の高さがあればよい。
【００６５】
本開示に係る引出しは、フロア用キッチンキャビネット全般に広く利用可能である。
（第七の実施の形態）
図１７は、第七の実施の形態に係る載置片が延出する仕切り部を示す斜視図である。図１７に示すように、仕切り部１２０は、側方より延出した調理器具（Ｎ１、Ｍ１）を載置する載置片２２０を有する。載置片２２０は、平面視略矩形状であって、線状のステンレスで構成されており、径は４ｍｍ以上である。なお、載置片２２０は、仕切り部１２０と同じ材質で構成されていることが好ましいが、木材や樹脂で構成されていてもよく、特に
限定されることはない。また、載置片２２０は、少なくとも１つのフライパンや鍋などの調理器具（Ｎ１、Ｍ１）を縦置きすることができる寸法の長さと幅があればよい。さらに、載置片２２０は、仕切り部１２０の左右どちらかの側方に設けられても、両側に２つ設けられてもよい。
【００６６】
載置片２２０は、下方より調理器具を受ける載置片本体２２１と、側方を一辺垂直片部１３１に連結した支持片部２２２を有する。載置片本体２２１は、外周片部２２３と、敷設片部２２４とを有する。載置片部２２１は、平面視略矩形状であって、仕切り部１２０の側方から延出して形成されている。外周片部２２３は、一対の仕切り片１２４（１２４ａ、１２４ｂ）と、載置片本体２２１とを一体に連結するように設けられている。敷設片部２２４は、その端部である敷設片部端部２２５が、外周片部２２３の長手方向と垂直に連結している。このような構造をとることによって、敷設片部２２４は、引出し１１０を引出した場合に、調理器具（Ｎ１、Ｍ１）が滑らないように係止することができるため、摩擦シート１６０を引出し１１０に設置しなくても調理器具（Ｎ１、Ｍ１）を縦置きすることができる。また、底板１１１と調理器具の間に、敷設片部２２４が介在しているので、調理器具で底板１１１を傷つけることを防ぐことができる。なお、敷設片部２２４の数は、１つでも２つ以上でも縦置きした調理器具が引出し１１０を引出したときに滑らない程度あればよく、特に限定されることはない。また、敷設片部端部２２５は、必ずしも外周片部２２３の長手方向に垂直に連結されている必要はなく、交差していればよい。
【００６７】
仕切り部１２０は、一対の仕切り片１２４（１２４ａ、１２４ｂ）と、載置片２２０を有することによって、調理器具（Ｎ１、Ｍ１）と蓋（Ｎ１ｂ、Ｍ１ｂ）を同時に２つ縦置きすることができるので、引出し１１０の空間を有効活用することができる。
【００６８】
なお、仕切り部は一対の仕切り片１２４にして鍋蓋を置くことができる構成でなくとも、１枚の仕切り片であってもよい。また、載置片２２０は、支持片部２２２がなく載置片本体２２１のみであってもよい。
（第八の実施の形態）
図１８は、第八の実施の形態に係る載置片が延出する仕切り部を示す斜視図である。図１８に示すように、仕切り部１２０は、側方より延出した調理器具（Ｎ１、Ｍ１）を載置する載置片２２０を有する。載置片２２０は、フライパンや鍋などの調理器具（Ｎ１、Ｍ１）を縦置きすることができる寸法の長さと幅があればよい。さらに、載置片２２０は、仕切り部１２０の左右どちらかの側方に設けられても、両側に２つ設けられてもどちらでもよい。
【００６９】
載置片２２０は、下方より調理器具を受ける平面視略矩形状の載置片本体２２１と、下端を載置片本体２２１に側方を一辺垂直片部１２７に連結した支持片部２２２とを有している。載置片本体２２１は、平面視略矩形状で形成され、長手方向の片方の端部が、仕切り片１２４ａと連結されて、仕切り部１２０と一体に形成されている。なお、載置片本体２２１は、底板１１１と調理器具との間に介在され底板１１１を調理器具で傷つけることを防ぐことができる。なお、載置片本体２２１は、調理器具（Ｎ１、Ｍ１）が滑らない材質であることが好ましい。なぜならば、引き出し１１０を引き出した場合に、縦置きした調理器具（N1、M１）が滑ることを防ぐことができる。
【００７０】
支持片部２２２の下端部は載置片本体２２１と連結し、長手方向の片側端部は、連結片部１３５と連結している。支持片部２２２の上端部は、抱持片部１３３を有していることが好ましいがなくてもよく、特に限定されることはない。
【００７１】
また、一対の仕切り片１２４（１２４ａ、１２４ｂ）の間には、一対の仕切り片１２４（１２４ａ、１２４ｂ）を連結する底片部２２６が設けられている。底片部２２６を有す
ることによって、引出し１１０を引出したときに、縦置きした調理器具（Ｎ１、Ｍ１）の蓋（Ｎ１ｂ、Ｍ１ｂ）が滑ることを防ぐことができる。
【００７２】
なお、仕切り部は一対の仕切り片１２４にして鍋蓋を置くことができる構成でなくとも、１枚の仕切り片であってもよい。また、載置片２２０は、支持片部２２２がなく載置片本体２２１のみであってもよい。
【符号の説明】
【００７３】
１００    キッチン用フロアキャビネット
１０３    コンロ
１０４    シンク
１０６    開口部
１１０    引出し
１１１    底板
１１２    前面板
１１３    背面板
１１４    側面板
１１４ａ  右側面板
１１４ｂ  左側面板
１２０    仕切り部
１２１    一辺（仕切り部の一辺）
１２２    他辺（仕切り部の一辺）
１２７ａ  調理器具収納空間
１２７ｂ  手前収納空間
１２７ｃ  小物収納空間
１２８    持ち手係止部
１４０    支持部
１５０    筐体
１６０    摩擦シート
２００    開口部
２２０    載置片
【図１】
2020103690.tif 000003
【図２】
2020103690.tif 000004
【図３】
2020103690.tif 000005
【図４】
2020103690.tif 000006
【図５】
2020103690.tif 000007
【図６】
2020103690.tif 000008
【図７】
2020103690.tif 000009
【図８】
2020103690.tif 000010
【図９】
2020103690.tif 000011
【図１０】
2020103690.tif 000012
【図１１】
2020103690.tif 000013
【図１２】
2020103690.tif 000014
【図１３】
2020103690.tif 000015
【図１４】
2020103690.tif 000016
【図１５】
2020103690.tif 000017
【図１６】
2020103690.tif 000018
【図１７】
2020103690.tif 000019
【図１８】
2020103690.tif 000020
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
キッチン用フロアキャビネットの開口部において前後方向に出し入れされ、底板と前面板と背面板と左右一対の側面板とを有し、上面が開口した引出しであって、
前記背面板に一辺が連結され、他辺が前記前面板側に延出して前記一対の側面板間を複数の調理器具収納空間に仕切る仕切り部と、
前記前面板と前記仕切り部の前記他辺との間の手前収納空間にある支持部と、を備えることを特徴とする引出し。
【請求項２】
前記手前収納空間内に前後を仕切る板状の壁材を有し、該壁材の上端部分が前記支持部となることを特徴とする請求項１記載の引出し。
【請求項３】
前記手前収納空間内に前後を仕切る板状の壁材を有し、該壁材と前記仕切り部の前記他辺との間に前記調理器具付帯の蓋を納める上面開口の筐体が収納配置され、該筐体の前記仕切り部側の上端部分が前記支持部となることを特徴とする請求項１記載の引出し。
【請求項４】
前記仕切り部は、前記背面板に着脱自在に取り付けられることを特徴とする請求項１〜３のいずれか一項記載の引出し。
【請求項５】
前記仕切り部は、前記背面板にスライド自在に取り付けられることを特徴とする請求項１〜３のいずれか一項記載の引出し。
【請求項６】
前記仕切り部は、少なくとも一方の側方より延出した前記調理器具を載置する載置片と、
を有することを特徴とする請求項１〜５のいずれか一項記載の引出し。
【請求項７】
前記仕切り部は、前記一対の側面板間方向で離間して前記調理器具付帯の蓋を縦置きにする一対の仕切り片を有して構成されていることを特徴とする請求項１〜６のいずれか一項記載の引出し。
【請求項８】
前記一対の仕切り片の少なくとも一方には、前記延出する方向の中央部を底とした側面視略凹状の蓋の持ち手係止部を設けたことを特徴とする請求項７記載の引出し。
【請求項９】
前記底板と前記仕切り部との間に、摩擦シートが敷かれることを特徴する請求項１〜８のいずれか一項記載の引出し。
【請求項１０】
請求項１〜９のいずれか一項記載の引出しをコンロ下又はシンク下に設けたことを特徴とするキッチン用フロアキャビネット。
【手続補正２】
【補正対象書類名】明細書
【補正対象項目名】０００４
【補正方法】変更
【補正の内容】
【０００４】
【特許文献１】特開２０１６−２１４５２６号公報
【手続補正３】
【補正対象書類名】明細書
【補正対象項目名】０００８
【補正方法】変更
【補正の内容】
【０００８】
本開示の一態様に係る引出しは、キッチン用フロアキャビネットの開口部において前後方向に出し入れされ、底板と前面板と背面板と左右一対の側面板とを有し、上面が開口した引出しであって、前記背面板に一辺が連結され、他辺が前記前面板側に延出して前記一対の側面板間を複数の調理器具収納空間に仕切る仕切り部と、前記前面板と前記仕切り部の他辺との間の手前収納空間にある支持部と、を備えることを特徴としている。
【手続補正４】
【補正対象書類名】明細書
【補正対象項目名】００２０
【補正方法】変更
【補正の内容】
【００２０】
この引出し１１０は、背面板１１３に一辺（連結片）１２１が連結され、他辺１２２（図４に示す）が前面板１１２側に延出して一対の側面板（右側面板１１４ａ、左側面板１１４ｂ）間を複数の調理器具収納空間１２７１に仕切る仕切り部１２０と、前面板１１２と仕切り部１２０の他辺１２２との間に手前収納空間１２７２があって、隣接する調理器具収納空間１２７１と手前収納空間１２７２が連通して小物収納空間１２７３を形成し、小物収納空間１２７３に介在し、調理器具（Ｎ１、Ｍ１）の取っ手（Ｎ１ａ、Ｍ１ａ）を支持する支持部１４０と、を備えている。
【手続補正５】
【補正対象書類名】明細書
【補正対象項目名】００２１
【補正方法】変更
【補正の内容】
【００２１】
左右一対の側面板１１４（１１４ａ、１１４ｂ）間には区切り板１１５を、前面板１１２と背面板１１３との間の小物収納空間１２７３内には前後を仕切る板状の壁材１４１をそれぞれ有している。なお、壁材１４１の上端部分が支持部１４０となる。従って、調理器具（Ｎ１、Ｍ１）を安定して縦置きでき、壁材１４１によって後述する前方収納空間１４２を形成することで、空間を有効活用することができる。
【手続補正６】
【補正対象書類名】明細書
【補正対象項目名】００４１
【補正方法】変更
【補正の内容】
【００４１】
こうした構造をとることによって、仕切り部１２０は、背面板１１３に連結され、一対の側面板１１４（１１４ａ、１１４ｂ）間を調理器具（Ｎ１、Ｍ１）が縦置き収納される少なくとも２つの調理器具収納空間１２７１に仕切る。例えば、図３のように、仕切り部１２０を４つ設置した場合、少なくとも４つの調理器具（Ｎ１、Ｍ１）を縦置き収納することができる。また、他辺１２２は、一対の側面板１１４（１１４ａ、１１４ｂ）の長手よりも短いので、前面板１１２と他辺１２２との間に手前収納空間１２７２が形成される。さらに、調理器具収納空間１２７１が手前収納空間１２７２と連通して、調理器具を含む小物が収納可能な小物収納空間１２７３が形成される。こうした構造を取ることによって、引出し１１０を複数の空間に仕切ることができ、空間を有効活用して収納できる。また、小物収納空間１２７３は、調理器具収納空間１２７１に収納される調理器具（Ｎ１、Ｍ１）の取っ手（Ｎ１ａ、Ｍ１ａ）を収納する。また、引出し１１０が前後に出し入れされても、仕切り部１２０は前後にずれることなく、仕切り部１２０に保持され、小物収納空間１２７３を狭めることはない。なお、仕切り部１２０は、左側面板１１４ｂや支持部１４０、区切り板１１５に連結されてあってもよく、特に限定されることはない。
【手続補正７】
【補正対象書類名】明細書
【補正対象項目名】００４５
【補正方法】変更
【補正の内容】
【００４５】
また、取っ手下の小物収納空間１２７３に小物を収納することができる。つまり、調理器具（Ｎ１、Ｍ１）の取っ手を寝かせて収納することで、引出し１１０の上部空間を有効活用できるとともに、取っ手が支持部１４０に支持されることで、引出し１１０の下部空間も有効活用できる。なお、一対の側面板１１４（１１４ａ、１１４ｂ）の長手は５００ｍｍの長さで、背面板１１３から支持部１４０までの距離は３４５ｍｍであるが、必ずしもこれに限らない。
【手続補正８】
【補正対象書類名】明細書
【補正対象項目名】００４８
【補正方法】変更
【補正の内容】
【００４８】
オイル類や液体調味料には、醤油、サラダ油、オリーブオイル、料理酒、みりん、ごま油などが該当する。前方収納空間１４２には、オイル類や液体調味料が最大６本収納できるように形成されている。小物収納空間１２７３の支持部１４０と仕切り部１２０の間には、フライパンと同時に利用される鍋敷き９１等が収容される。
【手続補正９】
【補正対象書類名】明細書
【補正対象項目名】００６６
【補正方法】変更
【補正の内容】
【００６６】
載置片２２０は、下方より調理器具を受ける載置片本体２２１と、側方を一辺垂直片部１３１に連結した支持片部２２２を有する。載置片本体２２１は、外周片部２２３と、敷設片部２２４とを有する。載置片本体２２１は、平面視略矩形状であって、仕切り部１２０の側方から延出して形成されている。外周片部２２３は、一対の仕切り片１２４（１２
４ａ、１２４ｂ）と、載置片本体２２１とを一体に連結するように設けられている。敷設片部２２４は、その端部である敷設片部端部２２５が、外周片部２２３の長手方向と垂直に連結している。このような構造をとることによって、敷設片部２２４は、引出し１１０を引出した場合に、調理器具（Ｎ１、Ｍ１）が滑らないように係止することができるため、摩擦シート１６０を引出し１１０に設置しなくても調理器具（Ｎ１、Ｍ１）を縦置きすることができる。また、底板１１１と調理器具の間に、敷設片部２２４が介在しているので、調理器具で底板１１１を傷つけることを防ぐことができる。なお、敷設片部２２４の数は、１つでも２つ以上でも縦置きした調理器具が引出し１１０を引出したときに滑らない程度あればよく、特に限定されることはない。また、敷設片部端部２２５は、必ずしも外周片部２２３の長手方向に垂直に連結されている必要はなく、交差していればよい。
【手続補正１０】
【補正対象書類名】明細書
【補正対象項目名】００７３
【補正方法】変更
【補正の内容】
【００７３】
１００    キッチン用フロアキャビネット
１０３    コンロ
１０４    シンク
１０６    開口部
１１０    引出し
１１１    底板
１１２    前面板
１１３    背面板
１１４    側面板
１１４ａ  右側面板
１１４ｂ  左側面板
１２０    仕切り部
１２１    一辺（仕切り部の一辺）
１２２    他辺（仕切り部の一辺）
１２７１  調理器具収納空間
１２７２  手前収納空間
１２７３  小物収納空間
１２８    持ち手係止部
１４０    支持部
１５０    筐体
１６０    摩擦シート
２００    開口部
２２０    載置片
【手続補正１１】
【補正対象書類名】図面
【補正対象項目名】図２
【補正方法】変更
【補正の内容】
【図２】
2020103690.tif 000021
【手続補正１２】
【補正対象書類名】図面
【補正対象項目名】図３
【補正方法】変更
【補正の内容】
【図３】
2020103690.tif 000022
【手続補正１３】
【補正対象書類名】図面
【補正対象項目名】図９
【補正方法】変更
【補正の内容】
【図９】
2020103690.tif 000023
【手続補正１４】
【補正対象書類名】図面
【補正対象項目名】図１６
【補正方法】変更
【補正の内容】
【図１６】
2020103690.tif 000024
【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
キッチン用フロアキャビネットの開口部において前後方向に出し入れされ、底板と前面板と背面板と左右一対の側面板とを有し、上面が開口した引出しであって、
前記背面板に一辺が連結され、他辺が前記前面板側に延出して前記一対の側面板間を複数の調理器具収納空間に仕切る仕切り部と、
前記前面板と前記仕切り部の前記他辺との間の手前収納空間を前後に仕切り、調理器具の取っ手を支持可能な支持部と、を備えることを特徴とする引出し。
【請求項２】
前記手前収納空間内に前後を仕切る板状の壁材を有し、該壁材の上端部分が前記支持部となることを特徴とする請求項１記載の引出し。
【請求項３】
前記手前収納空間内に前後を仕切る板状の壁材を有し、該壁材と前記仕切り部の前記他辺との間に前記調理器具付帯の蓋を納める上面開口の筐体が収納配置され、該筐体の前記仕切り部側の上端部分が前記支持部となることを特徴とする請求項１記載の引出し。
【請求項４】
前記仕切り部は、前記背面板に着脱自在に取り付けられることを特徴とする請求項１〜３のいずれか一項記載の引出し。
【請求項５】
前記仕切り部は、前記背面板にスライド自在に取り付けられることを特徴とする請求項１〜３のいずれか一項記載の引出し。
【請求項６】
前記仕切り部は、前記一対の側面板間方向で離間して前記調理器具付帯の蓋を縦置きにする一対の仕切り片を有して構成されていることを特徴とする請求項１〜５のいずれか一項記載の引出し。
【請求項７】
前記仕切り部は、少なくとも一方の側方より延出した前記調理器具を載置する載置片と、を有することを特徴とする請求項１〜６のいずれか一項記載の引出し。
【請求項８】
前記一対の仕切り片の少なくとも一方には、前記延出する方向の中央部を底とした側面視略凹状の蓋の持ち手係止部を設けたことを特徴とする請求項６記載の引出し。
【請求項９】
前記底板と前記仕切り部との間に、摩擦シートが敷かれることを特徴する請求項１〜８のいずれか一項記載の引出し。
【請求項１０】
請求項１〜９のいずれか一項記載の引出しをコンロ下又はシンク下に設けたことを特徴とするキッチン用フロアキャビネット。
【手続補正２】
【補正対象書類名】明細書
【補正対象項目名】０００８
【補正方法】変更
【補正の内容】
【０００８】
本開示の一態様に係る引出しは、キッチン用フロアキャビネットの開口部において前後方向に出し入れされ、底板と前面板と背面板と左右一対の側面板とを有し、上面が開口した引出しであって、前記背面板に一辺が連結され、他辺が前記前面板側に延出して前記一対の側面板間を複数の調理器具収納空間に仕切る仕切り部と、前記前面板と前記仕切り部の前記他辺との間の手前収納空間を前後に仕切り、調理器具の取っ手を支持可能な支持部と、を備えることを特徴としている。